(57)【要約】【課題】鉤状部が便蓋の周縁端部に掛止された状態で、弾性紐の引張力に基づいて変形部が便蓋の表面に密着するように撓曲する洋風便器の便蓋カバー用の掛止具を提供する。【解決手段】掛止具１の本体である帯板部材の一端を厚み方向に屈曲させて便蓋の周縁端部に掛止可能な鉤状部１１を形成し、便蓋カバーから延び出た弾性紐の先端に掛止具の本体を取り付けるための取付孔１２を帯板部材の他端側に穿設し、帯板部材の厚み方向に撓曲する可撓性を有する変形部１３を帯板部材の一端と他端との間に設ける。【選択図】図１
0003181386.tif 000002
【実用新案登録請求の範囲】
【請求項１】
洋風便器の後部上面部に対して起倒回転可能に取り付けられた便蓋に上面側から覆うように装着する便蓋カバーの掛止具であって、
前記掛止具は、
帯板部材の一端を厚み方向に屈曲させて前記便蓋の周縁端部に掛止可能な鉤状部が形成された本体と、
前記帯板部材の他端側に厚み方向に穿設された、前記便蓋カバーから延び出た弾性紐の先端に取り付けるための取付孔と、
前記帯状部材の一端と他端との間に形成された厚み方向に撓曲する可撓性を有する変形部と
を備え、
前記変形部は、前記鉤状部が前記便蓋の周縁端部に掛止された状態で、前記弾性紐の引張力に基づき、前記便蓋の表面に密着するように撓曲することを特徴とする洋風便器の便蓋カバー用の掛止具。
【請求項２】
前記変形部は、前記帯板部材の幅方向に刻設された複数の曲折溝を少なくとも前記便蓋との対向側に備えていることを特徴とする請求項１に記載の洋風便器の便蓋カバーの掛止具。
【請求項３】
前記本体は、前記帯板部材が前記他端側から一端側に向かって幅狭となるように形成されていることを特徴とする請求項１又は２に記載の洋風便器の便蓋カバーの掛止具。
【請求項４】
前記本体は、前記帯板部材から突出した突起部を備えていることを特徴とする請求項１乃至３のいずれかに記載の洋風便器の便蓋カバーの掛止具。
【考案の詳細な説明】
【技術分野】
【０００１】
本考案は、洋風便器の後部上面部に起倒回転可能に取り付けられた便蓋に上面側から覆うようにして装着する便蓋カバーの掛止具に関する。
【背景技術】
【０００２】
従来、広く用いられている腰掛け式の便器（以下「洋風便器」という。）は、参考する図２乃至４に示すように、後部上面部２１に便座ボックス２２が設置され、便座ボックス２２の前方に便座２３及び便蓋２４が起倒回転可能に取り付けられている。便座２３及び便蓋２４は、起倒回転の際に洋風便器２の後部上面部２１に干渉しないよう、後縁端部２４２と洋風便器２の後部上面部２１（便座ボックス２２）との間に間隙２５が形成されている。
【０００３】
また、便蓋２４には、装飾性や防汚の観点から、上面２４３側を覆うように便蓋カバー３が装着される場合がある。便蓋カバー３は、組み合わせる便座カバーや床マットと統一した意匠を有して便室内を装飾する。また、便蓋カバー３は、衛生を保つために洗浄に適した素材及び構造をなし、便蓋２４への装着及び着脱が容易となるように工夫されている。また、便蓋カバー３は、便蓋２４の意匠を阻害しないように、便蓋２４の表面に密着するように装着される。
【０００４】
例えば、従来の便蓋カバー３は、カバー本体の裏面側から延び出る弾性紐３４と、弾性紐３４の先端に取り付けた掛止具（図中の１に相当する部品）とを備える。便蓋カバー３は、弾性紐３４が伸長された状態で掛止具が便蓋２４の周縁に引っ掛かり、弾性紐３４の引張力によりカバー３本体が便蓋２４の表面に密着するように固定される（例えば、特許文献１）。
【０００５】
また、近年、洋風便器２は、温水洗浄装置が装備されて大型化の傾向にあるため、大型化を避けるための工夫が提案されており、その結果、便蓋２４の後縁端部２４２と洋風便器２の後部上面部２１（便座ボックス２２）との間隙２５が狭小となっている（例えば、特許文献２）。
【先行技術文献】
【特許文献】
【０００６】
【特許文献１】実用新案登録第３１６５４０２号公報
【特許文献２】特開２００４−２６７３４７号公報
【考案の概要】
【考案が解決しようとする課題】
【０００７】
しかしながら、先行文献２記載の便器の如く、便蓋２４の後縁端部２４２と洋風便器２の後部上面部２１（便座ボックス２２）との間隙２５が狭小になっているため、便蓋２４を起倒回転させた際に、便蓋２４の後縁端部２４２に引っ掛けた掛止具が、洋風便器２の後部上面部２１（便座ボックス２２）に接触し、掛け止めが解除されたり、破損したりするおそれがある。また、掛止具は、便蓋２４から取り外す際に、洋風便器２の後部上面部２１が邪魔をして着脱作業を困難にするおそれがある。
【０００８】
本考案はかかる事情を鑑みてなされたものであり、掛止具の本体である帯板部材の一端を厚み方向に屈曲させて便蓋の周縁端部に掛止可能な鉤状部を形成し、便蓋カバーから延び出た弾性紐の先端に掛止具の本体を取り付けるための孔を帯板部材の他端側に穿設し、帯板部材の厚み方向に撓曲する可撓性を有する変形部を帯板部材の一端と他端との間に設けることにより、鉤状部が便蓋の周縁端部に掛止された状態で、弾性紐の引張力に基づいて変形部が便蓋の表面に密着するように撓曲する洋風便器の便蓋カバー用の掛止具を提供することを目的とする。
【課題を解決するための手段】
【０００９】
本願請求項１に係る掛止具は、洋風便器の後部上面部に対して起倒回転可能に取り付けられた便蓋に上面側から覆うように装着する便蓋カバーの掛止具であって、前記掛止具は、帯板部材の一端を厚み方向に屈曲させて前記便蓋の周縁端部に掛止可能な鉤状部が形成された本体と、前記帯板部材の他端側に厚み方向に穿設された、前記便蓋カバーから延び出た弾性紐の先端に取り付けるための取付孔と、前記一端と他端との間に形成された厚み方向に撓曲する可撓性を有する変形部とを備え、前記変形部は、前記鉤状部が前記便蓋の周縁端部に掛止された状態で、前記弾性紐の引張力に基づき、前記便蓋の表面に密着するように撓曲することを特徴とする。
【００１０】
本願考案にあっては、便蓋カバーの掛止具が、厚み方向に撓曲する変形部を備えることにより、便蓋の周端縁部に掛止された際に変形部が撓曲して便蓋の表面に密着する。また、掛止具が、便蓋カバーから延び出た弾性紐の先端に取り付けられることにより、便蓋の周端縁部に掛止させた際に弾性紐の引張力に基づき変形部が厚み方向に強制的に撓曲する。
【００１１】
本願請求項２に係る掛止具は、前記変形部は、前記帯板部材の幅方向に刻設された複数の曲折溝を少なくとも前記便蓋との対向側に備えていることを特徴とする。
【００１２】
本願考案にあっては、変形部の便蓋との対向面側に複数の曲折溝が刻設されていることにより、弾性紐の引張力に基づき変形し易くなる。
【００１３】
本願請求項３に係る掛止具は、前記本体は、前記帯板部材が前記他端側から一端側に向かって幅狭となるように形成されていることを特徴とする。
【００１４】
本願考案は、掛止具本体が、他端側から一端側に向かって幅狭となるように形成されていることにより、他端側に繋がれた弾性紐の引張力が、長手方向に引いた仮想中心軸を中心として左右均等にかかり易くなる。
【００１５】
本願請求項４に係る掛止具は、前記本体は、前記帯板部材から突出した突起部を備えていることを特徴とする。
【００１６】
本願考案にあっては、掛止具本体が、突起部を備えることにより、この突起部に作業者の指を掛けることができ、装着及び着脱時の操作が容易となる。
【考案の効果】
【００１７】
本願に係る掛止具は、鉤状部が便蓋の周縁端部に掛止された状態で、弾性紐の引張力に基づいて変形部が便蓋の表面に密着するように撓曲することができ、装着及び着脱の際に、洋風便器の後部上面部（便座ボックス）に接触することなく、掛け止めが外れたり、破損したり、することを回避することができる。
【図面の簡単な説明】
【００１８】
【図１】本考案に係る洋風便器の便蓋カバー用の掛止具を示す図であり、（ａ）は掛止具を示す斜視図、（ｂ）は掛止具を示す平面図、（ｃ）は掛止具を示す側面図である。
【図２】本考案に係る掛止具を備える便蓋カバー及びこれを装着する洋風便器を示す図である。
【図３】本考案に係る掛止具を備える便蓋カバーを装着する便蓋を示す図である。
【図４】本考案に係る掛止具の取付状態を示す拡大断面図である。
【図５】図１とは異なる形態を有する洋風便器の便蓋カバー用の掛止具を示す斜視図である。
【考案を実施するための形態】
【００１９】
本考案に係る洋風便器の便蓋カバー用の掛止具について、実施の形態を示す図面に基づいて以下説明する。図中の１は、掛止具である。掛止具１は、本考案に係る洋風便器の便蓋カバー用の掛止具であり、以下の構成を備える。
【００２０】
掛止具１は、鉤状部１１と、取付孔１２と、変形部１３とを備える。掛止具１は、本体がポリプロピレンなどで形成され、光造形を用いて微細な溝孔が造形される。また、掛止具１は、本体が帯板部材により構成され、帯板部材の一端側が厚み方向に屈曲されて鉤状部１１が形成されている。
【００２１】
鉤状部１１は、洋風便器２の便蓋２４の後縁端部２４２に掛け止めるための手段であり、後縁端部２４２に掛け止め可能な形状及び寸法を有する。また、鉤状部１１は、先端の角部がＲ取り（丸め処理）されている。また、鉤状部１１は、便蓋２４との対向面１５側から見て、本体の長手方向に引いた仮想中心軸１７を中心として左右線対称をなす形状を有する。
【００２２】
また、掛止具１は、本体である帯板部材の他端側に厚み方向に穿設された取付孔１２を備える。取付孔１２は、例えば、本体の短手方向（幅方向）に延びた長円形状をなしており、後述する便蓋カバー３の弾性紐３４を挿通させる。
【００２３】
また、掛止具１は、本体である帯板部材の一端と他端との間に形成された変形部１３を備える。変形部１３は、帯板部材の厚み方向に撓曲するように形成されている。変形部１３は、例えば、複数条の曲折溝１６が、便蓋２４との対向面１５に本体の短手方向（幅方向）に刻設されている。曲折溝１６は、加工容易性及び撓曲容易性の観点から、溝幅方向切断視の断面が略蒲鉾形又は略三角形となるように形成されている。また、曲折溝１６は、応力に応じて均等に撓曲し易いように、等間隔に刻設されている。
【００２４】
次に、本考案に係る掛止具１の掛止対象について説明する。図中の２は、掛止対象となる洋風便器である。洋風便器２は、後部上面部２１に便座ボックス２２が設置され、便座ボックス２２には、便座２３に着座した人体の臀部に向かって温水を噴出する洗浄ノズルなどの温水洗浄装置が内臓されている（図示せず）。また、便座ボックス２２の前方には、便座２３及び便蓋２４が起倒回転可能に取り付けられており、洋風便器２の後部上面部２１（便座ボックス２２）と便蓋２４の後縁端部２４２との間には狭小な間隙２５が形成されている。
【００２５】
便蓋２４は、厚みのある変形板部材であり、洋風便器１の形状に合わせて、最前方から側方にかけて半長円状をなす周縁端部２４１と、これに連続して直線状をなす後縁端部２４２とからなる。
【００２６】
また、図中の３は、便座カバーである。便蓋カバー３は、最前方から側方にかけて半長円状をなす周縁端部３１と、これに連続して直線状をなす後縁端部３２とを備え、便蓋２４の表面に密着する格好で装着可能な形状を有している。また、便蓋カバー３は、周縁端部３１に形成されたへり返し部３３と、後縁端部３２付近から後方に向かって延び出る弾性紐３４とを備える。弾性紐３４は、先端に本考案に係る掛止具１が取り付けられる。
【００２７】
次に、本考案に係る掛止具１の使用方法について説明する。本考案に係る掛止具１を備える便蓋カバー３は、へり返し部３３が便蓋２４の周端縁部２４１に覆い被され、この状態のまま、弾性紐３４が便蓋２４の後縁端部２４２に向かって引っ張り伸ばされる。掛止具１は、便蓋２４の後縁端部２４２の位置に達した後、鉤状部１１から変形部１３にかけて間隙２５に挿入される。このとき、掛止具１は、変形部１３が便蓋２４との対向面１５の裏面側に反ることにより、鉤状部１１の先端が狭小な間隙２５に挿入され易くなる。
【００２８】
掛止具１は、鉤状部１１が便蓋２４の下面２４４側に回り込み、便蓋２４の後縁端部２４２に引っ掛けられる。このとき、掛止具１は、弾性紐３４の引張力に基づいて、変形部１３が便蓋２４の厚み方向の輪郭に沿って便蓋２４の表面に密着するように撓曲する。その結果、掛止部１は、便蓋２４を起倒回転させた際に洋風便器２の後部上面部２１（便座ボックス２２）に接触することなく、便蓋２４の後縁端部２４２から外れることがない。
【００２９】
また、掛止具１は、便蓋２４から取り外す場合であっても、若干押し下げられることにより、変形部１３が便蓋２４との対向面１５の裏面側に反る格好となるため、鉤状部１１の先端が狭小な間隙２５から抜出し易くなる。
【００３０】
なお、上述した実施の形態の他に、掛止具１は、図５に示すように、本体である帯板部材の他端側から突き出た突起部１４を備える構成であってもよい。突起部１４は、鉤状部１１を便蓋２４の後縁端部２４２から取り外す際、作業者が指を掛け、掛止具１本体を若干下方に押し下げながら、変形部１３を便蓋２４との対向面１５の裏面側に反らせるように操作させるための手段となる。
【符号の説明】
【００３１】
１  掛止具
１１  鉤状部
１２  取付孔
１３  変形部
１４  突起部
１５  対向面
１６  曲折溝
１７  仮想中心軸
２  洋風便器
２１  後部上面部
２２  便座ボックス
２３  便座
２４  便蓋
２４１  周縁端部
２４２  後縁端部
２４３  上面
２４４  下面
２５  間隙
３  便座カバー
３１  周縁端部
３２  後縁端部
３３  へり返し部
３４  弾性紐
【図１】
0003181386.tif 000003
【図２】
0003181386.tif 000004
【図３】
0003181386.tif 000005
【図４】
0003181386.tif 000006
【図５】
0003181386.tif 000007